(57)【要約】【課題】壁Ｗに対する棚の取付強度を大きくし、棚を取り付けたときの外観性を高める。【解決手段】違い棚Ａは壁取付具１と棚本体１０を備えている。壁取付具１は、縦方向取付部２ａ及び１対の横方向取付部２ｂからなる取付具本体２と、縦方向取付部２ａ及び各横方向取付部２ｂにそれぞれ突設された方立固定部４及び棚板固定部６とを有する。棚本体１０は、方立材１１と、方立材１１の上下端面から互いに異なる方向に水平に延びる水平棚板１２とを有する。方立材１１ないし水平棚板１２の後端面に取付具本体収容凹部１４が形成され、方立材１１後端面に方立固定部収容凹部１５が、水平棚板１２後端面に棚板固定部収容凹部１６が形成されている。壁取付具１は取付具本体２で壁Ｗに取付固定され、棚本体１０は、取付具本体収容凹部１４に取付具本体２を、方立固定部収容凹部１５に方立固定部４を、棚板固定部収容凹部１６に棚板固定部６を収容し、後端面が壁Ｗに当接して壁取付具１と固定されている。【選択図】図３
2016205053.tif 000002
【特許請求の範囲】
【請求項１】
縦方向取付部、及び該縦方向取付部の両端部から縦方向取付部と直角に互いに異なる方向に延びる１対の横方向取付部からなる取付具本体と、上記縦方向取付部に突設され、前側に向かって延びる垂直方向の方立固定部と、上記各横方向取付部にそれぞれ突設され、前側に向かって延びる水平方向の１対の棚板固定部とを有する壁取付具と、
１枚の方立材と、該方立材の上下端面を覆うように配置され、互いに異なる方向に水平に延びる上下１対の水平棚板とを有する棚本体とを備え、
上記棚本体の方立材ないし水平棚板の後端面には、上記壁取付具の取付具本体を収容可能な取付具本体収容凹部が形成され、
上記棚本体の方立材の後端面には上記壁取付具の方立固定部を収容可能な方立固定部収容凹部が、また水平棚板の後端面には上記壁取付具の棚板固定部を収容可能な棚板固定部収容凹部がそれぞれ形成され、
上記壁取付具は、取付具本体において壁に該取付具本体から方立固定部及び棚板固定部が前側に突出した状態で取付固定されている一方、
上記棚本体は、方立材ないし水平棚板の後端面の取付具本体収容凹部に壁取付具の取付具本体が、また方立材後端面の方立固定部収容凹部に壁取付具の方立固定部が、さらに水平棚板後端面の棚板固定部収容凹部に壁取付具の棚板固定部がそれぞれ収容された状態で、棚本体の後端面が壁に当接しかつ壁取付具と固定されていることを特徴とする違い棚。
【請求項２】
請求項１において、
棚本体の方立材ないし水平棚板の後端面には背面カバー部材が設けられており、
棚本体の後端面は上記カバー部材によって壁に当接していることを特徴とする違い棚。
【請求項３】
請求項１又は２において、
壁取付具の少なくとも縦方向取付部は壁内部の補強下地材に対し、該補強下地材に届く長さの固定具により固定されていることを特徴とする違い棚。
【請求項４】
請求項１〜３のいずれか１つにおいて、
壁取付具の方立固定部及び棚板固定部は取付具本体とは別体で、該取付具本体に分離可能に固定され、
壁取付具の取付具本体は、縦方向取付部の上下中央位置を対称点として点対称に設けられ、
壁取付具の取付具本体には、壁に固定される固定具を挿通するための取付孔が上記縦方向取付部の上下中央位置を対称点として点対称に形成されており、
壁取付具の取付具本体の表裏を反転することにより、棚本体の水平棚板の高さが左右で変更可能とされていることを特徴とする違い棚。
【請求項５】
請求項１〜４のいずれか１つにおいて、
壁取付具の方立固定部と棚本体の方立材とは、下側に位置する水平棚板の下面から挿通されて方立材の下部を通して方立固定部に締結される固定具により固定されていることを特徴とする違い棚。
【請求項６】
請求項１〜５のいずれか１つにおいて、
壁取付具の棚板固定部と棚本体の水平棚板とは、該水平棚板の下面から挿通されて棚板固定部に締結される固定具により固定されていることを特徴とする違い棚。
【請求項７】
請求項１〜６のいずれか１つの違い棚が壁に固定されていることを特徴とする猫移動棚。
【請求項８】
請求項１の違い棚を壁に施工する施工方法であって、
壁取付具を、取付具本体の縦方向取付部が垂直方向になりかつ横方向取付部が水平方向になるように配置して壁に取り付け、
上記壁取付具の取付具本体を棚本体後端面の取付具本体収容凹部に、また壁取付具の方立固定部を棚本体の方立材後端面の方立固定部収容凹部に、さらに壁取付具の棚板固定部を棚本体の水平棚板後端面の棚板固定部収容凹部にそれぞれ収容することで、棚本体の後端面に壁取付具を収容して、該棚板の後端面を壁に当接させ、
しかる後に、方立固定部収容凹部内の方立固定部に方立材を、また棚板固定部収容凹部内の棚板固定部に水平棚板をそれぞれ固定することを特徴とする違い棚の施工方法。
【発明の詳細な説明】
【技術分野】
【０００１】
本発明は、違い棚、猫移動棚及び違い棚の施工方法に関するものである。
【背景技術】
【０００２】
一般に、猫は高いところに登る習性があり、このため、猫をペットとして飼育している住居では、壁に猫移動棚を取り付けることがあり、こうしておけば、その棚に猫が飛び乗ることができるようになる。
【０００３】
このように壁に取り付ける棚として、従来、例えば特許文献１〜特許文献３に示されるものが提案されている。特許文献１では、壁に高さの異なる複数の棚を間隔をあけて取り付け、この棚により室内空間を上下方向に移動可能な猫用の通路を形成している。また、引用文献２では、猫を飼育するための箱状の猫舎において、棚を箱の側板に固定して支持することが行われている。引用文献３では、壁に柵を有する棚やトンネルを有する箱体を取り付けて、それらに猫が上がって遊び得るようにしている。
【０００４】
ところで、一般の住宅では、子供がいる場合に、壁に取り付けられた棚に子供がぶら下がること等があることから、そのぶら下がりにも耐え得るように棚を壁に強固に固定することが必要である。
【０００５】
しかし、特許文献１には、このように棚を強固に固定する構造は示されていない。また、特許文献３にも、子供がぶら下がる程度の強度が想定されていない。
【０００６】
また、特許文献２に示されるように、猫の飼育場所を子供がぶら下がらないように専用の箱物にしてもよいが、このような箱を屋内に設置するためにスペースが必要で大掛かりになり、実現性が低い。
【０００７】
一方、棚を強固に壁に取り付ける構造として、特許文献４に示されるように、棚の後部を上下に挟み込んで支持する棚受け装置が知られている。
【先行技術文献】
【特許文献】
【０００８】
【特許文献１】特開２００３−３３６４６３号公報
【特許文献２】特開平９−１９１７８８号公報
【特許文献３】特開２０１０−１１７６１号公報
【特許文献４】実開平１−９９２５１号公報
【発明の概要】
【発明が解決しようとする課題】
【０００９】
ところが、上記特許文献４のものでは、棚受け装置を棚の下側に筋交い状に配置して棚を支持するために、その棚受け装置が大きく露呈することとなり、見映えの良いすっきりした外観にならないという問題がある。
【００１０】
本発明は斯かる諸点に鑑みてなされたもので、その目的とするところは、棚を壁に取り付ける構造に改良を加えることにより、壁に対する棚の取付強度を大きくしながら、同時に、棚を取り付けたときに棚受け等が露出せず、見映えを良くして外観性を高めるようにすることにある。
【課題を解決するための手段】
【００１１】
上記の目的を達成すべく、この発明では、棚は上下に高さが異なる１対の水平棚板を方立材で接続した折れ曲がり状の違い棚として、この棚の後端面に収容凹部を形成し、この収容凹部と同じ形状の取付具を壁に取り付けて、その取付具を棚後端面の収容凹部に収容して隠蔽するようにした。
【００１２】
具体的には、第１の発明の違い棚は、縦方向取付部、及び該縦方向取付部の両端部から縦方向取付部と直角に互いに異なる方向に延びる１対の横方向取付部からなる取付具本体と、上記縦方向取付部に突設され、前側に向かって延びる垂直方向の方立固定部と、上記各横方向取付部にそれぞれ突設され、前側に延びる水平方向の１対の棚板固定部とを有する壁取付具を備えているとともに、１枚の方立材と、該方立材の上下端面を覆うように配置され、互いに異なる方向に水平に延びる上下１対の水平棚板とを有する棚本体を備えている。そして、上記棚本体の方立材ないし水平棚板の後端面には、上記壁取付具の取付具本体を収容可能な取付具本体収容凹部が形成され、上記棚本体の方立材の後端面には上記壁取付具の方立固定部を収容可能な方立固定部収容凹部が、また水平棚板の後端面には上記壁取付具の棚板固定部を収容可能な棚板固定部収容凹部がそれぞれ形成されている。また、上記壁取付具は、取付具本体において壁に該取付具本体から方立固定部及び棚板固定部が前側に突出した状態で取付固定されている一方、上記棚本体は、方立材ないし水平棚板の後端面の取付具本体収容凹部に壁取付具の取付具本体が、また方立材後端面の方立固定部収容凹部に壁取付具の方立固定部が、さらに水平棚板後端面の棚板固定部収容凹部に壁取付具の棚板固定部がそれぞれ収容された状態で、棚本体の後端面が壁に当接しかつ壁取付具と固定されていることを特徴とする。尚、この発明では、壁に向かって左側を「左」とし、右側を「右」とし、手前側を「前」とし、奥側を「後」として説明する。
【００１３】
この第１の発明では、壁取付具がその取付具本体で壁に取り付けられ、例えば取付具本体の上下方向の縦方向取付部が壁内部に位置する補強下地材に、その補強下地材に達する長さの固定具により取付固定される。この取付状態では、取付具本体の縦方向取付部から上下方向の方立固定部が、また横方向取付部から水平方向の棚板固定部がそれぞれ前側に向かって突出するように延びている。このように取り付けられた壁取付具に対し、棚本体を後側（壁側）に向かって移動させて壁取付具に近付け、まず、その方立材後端面の方立固定部収容凹部に壁取付具の方立固定部を、また水平棚板後端面の棚板固定部収容凹部に壁取付具の棚板固定部をそれぞれ収容させ、その後に方立材ないし水平棚板からなる棚本体全体の後端面の取付具本体収容凹部に壁取付具の取付具本体を収容させる。この状態では、棚本体の後端面が壁に当接し、壁取付具の全体が棚本体の後端面の各収容凹部に収容されて外部に露出せず、この当接状態で棚本体と壁取付具とが固定され、棚本体の上下１対の水平棚板が上下方向の方立材を介して接続されて段違いに上下に並んだ違い棚が得られる。
【００１４】
こうして壁に取り付けられた違い棚は、例えば壁内部の補強下地材に取付具本体の縦方向取付部で当該補強下地材に達する長さの固定具により取付固定された壁取付具に棚本体が固定されたものであり、この棚本体と壁取付具とは、壁取付具の方立固定部及び棚板固定部が棚本体の方立固定部収容凹部及び棚板固定部収容凹部に棚本体の内部まで入り込んだ状態で固定されるので、棚本体の方立材が壁取付具の取付具本体の縦方向取付部を介して壁内部の補強下地材に固定されることで、違い棚に加わる荷重を主として補強下地材によって受けることができるようになり、棚本体を強固に壁に取り付けて、その違い棚の壁に対する取付強度を高くすることができる。
【００１５】
また、上記のように、違い棚の棚本体の後端面が壁に当接し、壁取付具の全体が棚本体の後端面の各収容凹部に収容されて外部に露出しないので、見映えの良いすっきりした外観となる。
【００１６】
第２の発明は、第１の発明において、棚本体の方立材ないし水平棚板の後端面には背面カバー部材が設けられており、棚本体の後端面は上記カバー部材によって壁に当接していることを特徴とする。
【００１７】
この第２の発明では、棚本体の後端面がカバー部材によって壁に当接するので、仮に壁に不陸があっても、違い棚と壁との間に隙間が生じることはなく、さらに見映えを良くして外観性を高めることができる。また、壁取付具による壁への傷付けを最小限に抑えることができる。
【００１８】
第３の発明は、第１又は第２の発明において、壁取付具の少なくとも縦方向取付部は壁内部の補強下地材に対し、該補強下地材に届く長さの固定具により固定されていることを特徴とする。
【００１９】
この第３の発明では、壁取付具の縦方向取付部が壁に対し、その壁内部の補強下地材に届く長さの固定具により強固に固定されて、その取付強度を高めることができる。この縦方向取付部は壁取付具の左右中央に位置し、縦方向取付部に棚本体の方立材が固定されるので、棚本体は、上下の水平棚板の間にある中央の方立材が壁内部の補強下地材に強固に固定され、この方立材を基準として水平棚板が左右にバランスをもって配置されるようになり、壁に固定された壁取付具、方立材及び水平棚板の全体で荷重を受けることになり、違い棚を安定して壁に取付固定することができる。そのことに加え、壁取付具は方立材及び水平棚板の収容凹部に収容されているので、意匠外観に優れた違い棚が得られる。
【００２０】
第４の発明は、第１〜第３の発明のいずれか１つにおいて、壁取付具の方立固定部及び棚板固定部は取付具本体とは別体で、該取付具本体に分離可能に固定され、壁取付具の取付具本体は、縦方向取付部の上下中央位置を対称点として点対称に設けられ、壁取付具の取付具本体には、壁に固定される固定具を挿通するための取付孔が上記縦方向取付部の上下中央位置を対称点として点対称に形成されており、壁取付具の取付具本体の表裏を反転することにより、棚本体の水平棚板の高さが左右で変更可能とされていることを特徴とする。
【００２１】
この第４の発明では、壁取付具の取付具本体が、縦方向取付部の上下中央位置を対称点として点対称に設けられ、壁取付具の取付具本体に形成される固定具挿通用の取付孔も縦方向取付部の上下中央位置を対称点として点対称に配置されているので、壁取付具の取付具本体の表裏を反転して壁に取り付ければ、棚本体の水平棚板の高さが左右で変更可能となり、同じ部材を用いながら、左側の水平棚板が右側の水平棚板よりも低い右上がり（左下がり）の違い棚と、逆に左側の水平棚板が右側の水平棚板よりも低い右下がり（左上がり）の違い棚とを施工現場で容易に切り換えて施工することができる。
【００２２】
第５の発明は、第１〜第４の発明のいずれか１つにおいて、壁取付具の方立固定部と棚本体の方立材とは、下側に位置する水平棚板の下面から挿通されて方立材の下部を通して方立固定部に締結される固定具により固定されていることを特徴とする。
【００２３】
この第５の発明では、壁取付具の方立固定部と棚本体の方立材とを容易に固定することができる。また、固定具は、下側の水平棚板の下面から挿通されて方立材の下部を通して方立固定部に締結されるので、その固定具又はその挿通のための開口は下側の水平棚板の下面のみしか露出せず、外観上の見映えを高めることができる。
【００２４】
第６の発明は、第１〜第５の発明のいずれか１つにおいて、壁取付具の棚板固定部と棚本体の水平棚板とは、該水平棚板の下面から挿通されて棚板固定部に締結される固定具により固定されていることを特徴とする。
【００２５】
この第６の発明では、壁取付具の棚板固定部と棚本体の水平棚板と容易に固定することができる。また、固定具は、水平棚板を下面から挿通されるので、その固定具は水平棚板の下面に固定具の頭部分しか露出せず、外観上の見映えを高めることができる。
【００２６】
第７の発明は猫移動棚に係る発明であり、この猫移動棚は、第１〜第６の発明のいずれか１つの違い棚が壁に固定されていることを特徴とする。
【００２７】
この第７の発明では、取付強度が高く、しかも壁取付具が外部に露出しない外観見映えの高い猫移動棚が得られる。また、壁取付具が外部に露出しないので、猫が棚の上に乗るときに体毛が引っかかったり邪魔になったりすることはなく、猫にとって快適な猫移動棚となる。
【００２８】
第８の発明は、第１の発明の違い棚を壁に施工する施工方法であって、壁取付具を、取付具本体の縦方向取付部が垂直方向になりかつ横方向取付部が水平方向になるように配置して壁に取り付け、上記壁取付具の取付具本体を棚本体後端面の取付具本体収容凹部に、また壁取付具の方立固定部を棚本体の方立材後端面の方立固定部収容凹部に、さらに壁取付具の棚板固定部を棚本体の水平棚板後端面の棚板固定部収容凹部にそれぞれ収容することで、棚本体の後端面に壁取付具を収容して、該棚本体の後端面を壁に当接させ、しかる後に、方立固定部収容凹部内の方立固定部に方立材を、また棚板固定部収容凹部内の棚板固定部に水平棚板をそれぞれ固定することを特徴とする。
【００２９】
この第８の発明では、まず、壁取付具の取付具本体が、縦方向取付部を垂直方向にしかつ横方向取付部を水平方向にして壁に取り付けられる。このとき、縦方向取付部を壁内の補強下地材に、当該補強下地材に達する長さの固定具で取り付けるのが好ましい。その後、この壁取付具に棚本体が近付けられ、壁取付具の取付具本体が棚本体後端面の取付具本体収容凹部に、また壁取付具の方立固定部が棚本体の方立材後端面の方立固定部収容凹部に、さらに壁取付具の棚板固定部が棚本体の水平棚板後端面の棚板固定部収容凹部にそれぞれ収容され、このことで、棚本体の後端面に壁取付具が収容される。この収容状態で、棚板の後端面が壁に当接し、しかる後に、方立固定部収容凹部内の方立固定部に方立材が、また棚板固定部収容凹部内の棚板固定部に水平棚板がそれぞれ固定される。このことで、違い棚を容易にかつスムーズに壁に取付固定することができる。
【発明の効果】
【００３０】
以上説明した如く、本発明によると、上下１対の水平棚板を方立材で接続した棚本体と、この棚本体の正面視の形状と同じ形状の壁取付具とを設け、棚本体の後端面に壁取付具を収容する凹部を形成し、例えば壁内の補強下地材に補強下地材に達する長さの固定具により取付固定された壁取付具を棚本体後端面の凹部に収容して、棚本体後端面を壁に当接させ、その状態で棚本体を壁取付具に固定するようにしたことにより、違い棚の壁に対する取付強度を増大させることができるとともに、壁取付具の全体が外部に露出せず、違い棚の外観上の見映えを向上させることができる。
【図面の簡単な説明】
【００３１】
【図１】図１は、図１は本発明の実施形態に係る違い棚の斜視図である。
【図２】図２は、違い棚の平面図である。
【図３】図３は、違い棚の正面図である。
【図４】図４は、図２のIV−IV線断面図である。
【図５】図５は、図２のＶ−Ｖ線断面図である。
【図６】図６は、棚本体を後側から見た背面図である。
【図７】図７は、方立材の側面図である。
【図８】図８は、方立材の底面図である。
【図９】図９は、方立材の背面図である。
【図１０】図１０は、上側水平棚板の背面図である。
【図１１】図１１は、上側水平棚板の底面図である。
【図１２】図１２は、下側水平棚板の背面図である。
【図１３】図１３は、下側水平棚板の底面図である。
【図１４】図１４は、壁取付金具の斜視図である。
【図１５】図１５は、壁取付金具の平面図である。
【図１６】図１６は、壁取付金具の正面図である。
【図１７】図１７は、壁取付金具の取付具本体を裏返したときの使用状態を示す正面図である。
【図１８】図１８は、違い棚の変形例を示す図２相当図である。
【発明を実施するための形態】
【００３２】
以下、本発明の実施形態を図面に基づいて詳細に説明する。以下の実施形態の説明は、本質的に例示に過ぎず、本発明、その適用物或いはその用途を制限することを意図するものでは全くない。
【００３３】
図１〜図５は本発明の実施形態に係る違い棚Ａを示し、この違い棚Ａは、例えば複数のものが階段状に高さ位置を変えて壁Ｗに固定されて施工されることで、猫移動棚として使用される。違い棚Ａは大きく分けて、壁Ｗに取付固定される壁取付具１と、この壁取付具１に固定される棚本体１０とを備えている。尚、この実施形態では、壁Ｗに向かって左側を「左」とし、右側を「右」とし、手前側を「前」とし、奥側を「後」として説明する。
【００３４】
（壁取付具）
壁取付具１は壁Ｗに取付固定されるもので、この壁Ｗに取付固定された状態で、該壁取付具１に棚本体１０が固定されるようになっている。図１４〜図１６に示すように、壁取付具１は例えば金具製のもので、略Ｚ字に似た形状に折れ曲がった比較的厚さの薄い板材からなる取付具本体２を有する。すなわち、この取付具本体２は、上下方向に延びる縦方向取付部２ａと、この縦方向取付部２ａの上下両端部から縦方向取付部２ａと直角に互いに異なる水平左右方向に延びる左右１対（上下１対）の横方向取付部２ｂ，２ｂとからなり、この取付具本体２は、縦方向取付部２ａの上下中央位置Ｘ（図１６参照）を対称点として点対称に設けられている。
【００３５】
取付具本体２の縦方向取付部２ａの前面には、前側に向かって延びるように突出する垂直方向の方立固定部４がねじＳにより固定されている。この方立固定部４は、例えば矩形状の平板部の上縁に上板部を、また下縁に下板部を、さらに後縁に後板部をそれぞれ右方向に延びるように突設した厚さの薄い開放型矩形箱形状（ちり取り形状又はシャベル形状）をしており、その後板部で方立固定部４にねじＳにより固定されている。
【００３６】
また、上記各横方向取付部２ｂ前面の先端付近には、それぞれ前側に向かって延びるように突出する水平方向の１対の棚板固定部６，６がねじＳにより固定されている。この各棚板固定部６は、上記方立固定部４と同様に厚さの薄い開放型矩形箱形状をしているが、方立固定部４とは向きが異なり、矩形状の平板部の左右両縁に左右板部を、また後縁に後板部をそれぞれ上方向に延びるように突設したものであり、その後板部で棚板固定部６にねじＳにより固定されている。
【００３７】
このように、壁取付具１の方立固定部４及び棚板固定部６は取付具本体２とは別体で、該取付具本体２に分離可能にねじ止めされて固定されている。
【００３８】
そして、図１４に示すように、上記取付具本体２には、該取付具本体２を壁Ｗに固定するための固定具としてのねじＳを挿通するための貫通孔からなる複数の取付孔５，５，…が形成されている。具体的には、縦方向取付部２ａの上下端部であって横方向取付部２ｂ，２ｂとの交差部と、横方向取付部２ｂの左右中間部及び先端部との合計８箇所に設けられている。これらの取付孔５，５，…は、取付具本体２に上記縦方向取付部２ａの上下中央位置Ｘを対称点として点対称に形成されており（図１６参照）、図１７に示すように、方立固定部４及び棚板固定部６を取り外して取付具本体２の表裏を反転し、その反転状態で方立固定部４及び棚板固定部６を取り付けることにより、壁取付具１に固定される棚本体１０の水平棚板１２，１２の高さを左右で変更可能とされている。
【００３９】
図１４に示すように、上記縦方向取付部２ａは、壁Ｗ内部における補強下地材Ｗ１に対応した位置に配置されて該補強下地材Ｗ１に固定されるようになっている。補強下地材Ｗ１は壁Ｗの種類によって異なり、合板下地材上に石膏ボードが施工されている壁Ｗでは、合板下地材が補強下地材Ｗ１に相当する。また、柱又は間柱に石膏ボードが施工されている壁Ｗでは、間柱が補強下地材Ｗ１に相当する。さらに、２×４パネルの壁Ｗでは表面合板又はスタッド部分が補強下地材Ｗ１に相当する。
【００４０】
そして、上記取付孔５，５，…に挿通されて壁Ｗに固定されるねじＳ，Ｓ，…のうち、縦方向取付部２ａの上下端部で横方向取付部２ｂとの交差部にある取付孔５，５に挿通される上下２本のねじＳ，Ｓは、上記補強下地材Ｗ１に届く長さを有しており、このことで、縦方向取付部２ａは壁Ｗ内部の補強下地材Ｗ１に対し、補強下地材Ｗ１に届く長さのねじＳ，Ｓにより固定されるようになっている。
【００４１】
尚、各横方向取付部２ｂの先端部に形成される２つの取付孔５，５は、棚板固定部６の後板部で塞がれる位置にあるため、この棚板固定部６の後板部にも取付孔５，５に対応する取付孔７が形成されており、重なった状態の両取付孔５，７にねじＳを挿通して壁Ｗに固定するようにしている。
【００４２】
さらに、上記方立固定部４の下板部には前後２つのねじ螺合孔４ａ，４ａが形成されている。また、棚板固定部６の平板部前端部には左右２つのねじ螺合孔６ａ，６ａが形成されている。
【００４３】
（棚本体）
これに対し、上記棚本体１０は、図６にも示すように、上下方向に延びる１枚の方立材１１と、この方立材１１の上下端面を覆うように配置され、互いに異なる左右方向に水平に延びる上下１対の水平棚板１２，１２とを有する。
【００４４】
図７は方立材１１を右側から見た側面図、図８は方立材１１を下側から見た底面図、図９は方立材１１を後側から見た背面図である。また、図１０は上側に位置する水平棚板１２を後側から見た背面図、図１１は上側水平棚板１２を下側から見た底面図である。さらに、図１２は下側水平棚板１２を裏側から見た背面図、図１３は下側水平棚板１２を下側から見た底面図である。これらの図にも示すように、方立材１１及び各水平棚板１２はいずれも矩形状の板材からなり、両水平棚板１２，１２は左右方向の長さ、前後方向の幅、及び上下方向の厚さがいずれも同じである。方立材１１の左右方向の厚さは水平棚板１２と同じであるが、前後方向の幅は水平棚板１２よりも少し小さく、方立材１１と水平棚板１２，１２とを各々の後端面が壁Ｗに当たるように施工したときに、水平棚板１２，１２が方立材１１よりも前側に突出するようになっている。
【００４５】
図６に示すように、上記棚本体１０の後端面、つまり方立材１１ないし水平棚板１２の後端面（壁Ｗに当接する面）には、上記壁取付具１のうちの板状の取付具本体２を収容可能な浅い溝状の取付具本体収容凹部１４が方立材１１ないし水平棚板１２に亘って連続するように形成されている。この取付具本体収容凹部１４は、取付具本体２を後側から見たときと略同じ形状を有し、方立材１１ないし水平棚板１２の後端面に薄く凹陥するように形成されたもので、その深さは取付具本体２の厚さよりも少し大きく、取付具本体収容凹部１４に取付具本体２を収容したときに取付具本体収容凹部１４以外の後端面が取付具本体２と略面一になるようになっている。
【００４６】
さらに、図７〜図９に示すように、上記方立材１１の後端面には、その取付具本体収容凹部１４の底面に、上記壁取付具１の方立固定部４を収容可能な断面矩形状の方立固定部収容凹部１５が形成されている。この方立固定部収容凹部１５は有底状のもので、その深さは深く、底面は例えば方立材１１の前後幅の略中央部まで延びている。
【００４７】
また、図１０及び図１１に示すように、上側水平棚板１２の後端面の右端部には、その取付具本体収容凹部１４の底面に、上記壁取付具１の右側の棚板固定部６を収容可能な断面矩形状の棚板固定部収容凹部１６が形成されている。また、図１２及び図１３に示すように、下側水平棚板１２の後端面の左端部には、その取付具本体収容凹部１４の底面に、上記壁取付具１の左側の棚板固定部６を収容可能な断面矩形状の棚板固定部収容凹部１６が形成されている。これらの方立固定部収容凹部１５，１５も有底状のもので、その深さは深く、底面は例えば水平棚板１２の前後略中央部まで延びている。
【００４８】
図７〜図９に示すように、上記方立材１１の上端面（上側木口面）には前後１つの有底状のダボ穴１１ａ，１１ａが形成されている。方立材１１の下端面（下側木口面）には３つのねじ挿通孔１１ｂ，１１ｂ，１１ｃが前後に並んで形成され、後端寄り部分の１対のねじ挿通孔１１ｂ，１１ｂは方立固定部収容凹部１５まで延びて該収容凹部１５に連通するように設けられている一方、前側の１つのねじ挿通孔１１ｃは有底状の穴部とされている。また、方立材１１の右側面には、その後側上端部に方立固定部収容凹部１５まで延びて該収容凹部１５に連通するねじ挿通孔１１ｄが、また前側下端部に上記方立材１１下端面の前側のねじ挿通孔１１ｃの底部に連通する固定ダボ嵌挿孔１１ｅがそれぞれ形成されている。
【００４９】
また、図１０及び図１１に示すように、上記上側（右側）の水平棚板１２の下面において、右端側の後端寄り部分には、上記右側の棚板固定部６の左右２つのねじ螺合孔６ａ，６ａに対応する左右１対のねじ挿通孔１２ａ，１２ａが棚板固定部収容凹部１６まで延びて該収容凹部１６に連通するように形成されている一方、左端部には前後１対の有底状のダボ穴１２ｂ，１２ｂが上記方立材１１のダボ穴１１ａ，１１ａに対応して設けられている。
【００５０】
また、図１２及び図１３に示すように、上記下側（左側）の水平棚板１２の下面において、左端側の後端寄り部分には、上記左側の棚板固定部６の左右２つのねじ螺合孔６ａ，６ａに対応する左右１対のねじ挿通孔１２ａ，１２ａが棚板固定部収容凹部１６まで延びて該収容凹部１６に連通するように形成されている一方、右端部には３つのねじ挿通孔１２ｃ，１２ｃ，１２ｄがそれぞれ上記方立材１１下端面の３つのねじ挿通孔１１ｂ，１１ｂ，１１ｃに対応して前後に並ぶように形成され、これらのねじ挿通孔１２ｃ，１２ｃ，１２ｄは水平棚板１２の上面まで延びて該水平棚板１２を貫通している。
【００５１】
そして、壁取付具１は、取付具本体２を壁ＷにねじＳ，Ｓ，…によって固定することで、その取付具本体２から方立固定部４及び棚板固定部６が前側に突出した状態で取付固定されている。この壁取付具１に対し、棚本体１０は、方立材１１ないし水平棚板１２の後端面の取付具本体収容凹部１４に壁取付具１の取付具本体２が、また方立材１１後端面の方立固定部収容凹部１５に壁取付具１の方立固定部４が、さらに水平棚板１２後端面の各棚板固定部収容凹部１６に壁取付具１の各棚板固定部６がそれぞれ収容され、その状態で棚本体１０の後端面が壁Ｗに当接しかつ壁取付具１に対し固定されている。
【００５２】
上記棚本体１０における方立材１１と水平棚板１２との具体的な固定構造は次のとおりである。図５に示すように、棚本体１０における方立材１１の上端面と、上側（右側）の水平棚板１２の左端部下面との各々に形成されている前後１対のダボ穴１１ａ，１２ｂにはダボ２０が嵌合されており、この各ダボ２０によって方立材１１上端面と、上側の水平棚板１２の下面とが固定されている。
【００５３】
また、下側（左側）の水平棚板１２の右端部下面の前端部に位置するねじ挿通孔１２ｄと、方立材１１下端面の前端部のねじ挿通孔１１ｃとが連通されて、両ねじ挿通孔１２ｄ，１１ｃに水平棚板１２下面からねじＳが挿通され、そのねじＳは方立材１１の右側面の固定ダボ嵌挿孔１１ｅに嵌挿した固定ダボ２１外周面のねじ孔（図示せず）に螺合されており、このことによって方立材１１の下端面と下側の水平棚板１２の右端部下面とが各々の前端部で固定されている。
【００５４】
そして、棚本体１０後端面の取付具本体収容凹部１４に壁取付具１の取付具本体２が、また方立材１１後端面の方立固定部収容凹部１５に壁取付具１の方立固定部４が、さらに上下の水平棚板１２の後端面の棚板固定部収容凹部１６に壁取付具１の棚板固定部６がそれぞれ収容されているとき、棚本体１０と壁取付具１とは以下のように固定されている。まず、図５に示すように、下側（左側）の水平棚板１２における右端部下面の後側２つのねじ挿通孔１２ｃ，１２ｃと、方立材１１における下端面の後側２つのねじ挿通孔１１ｂ，１１ｂとが連通されて両ねじ挿通孔１２ｃ，１１ｂにそれぞれ水平棚板１２下面からねじＳ，Ｓが挿通され、それらのねじＳ，Ｓが方立材１１後端面の方立固定部収容凹部１５に収容されている方立固定部４下板部の前後２つのねじ螺合孔４ａ，４ａに螺合締結されている。また、方立材１１の右側面上側のねじ挿通孔１１ｄにねじＳが挿通され、このねじＳが方立固定部収容凹部１５内の方立固定部４の平板部に押し付けられている。これらによって、棚本体１０の下側水平棚板１２が方立材１１と壁取付具１の方立固定部４とに固定されている。つまり、壁取付具１の方立固定部４と棚本体１０の方立材１１とは、下側の水平棚板１２の下面から挿通されて方立材１１の下部を通して方立固定部４下板部の前後２つのねじ螺合孔４ａ，４ａに螺合締結されるねじＳ，Ｓ（固定具）により固定されている。
【００５５】
また、図４に示すように、上側及び下側の水平棚板１２，１２の各々の下面のねじ挿通孔１２ａ，１２ａにねじＳ，Ｓが挿通され、この各ねじＳが棚板固定部収容凹部１６に収容されている棚板固定部６の平板部のねじ螺合孔６ａに螺合締結されている。つまり、壁取付具１の棚板固定部６と棚本体１０の水平棚板１２とは、水平棚板１２の下面から挿通されて棚板固定部６のねじ螺合孔６ａに螺合締結されるねじＳ（固定具）により固定されている。
【００５６】
尚、図１中、２３は違い棚Ａの上側に方立材１１ないし上下の水平棚板１２に亘り接するように壁Ｗの面に配設された略円形板状の装飾プレートで、壁Ｗの汚れを防止しかつデザイン性を高めるためのものである。
【００５７】
（違い棚の施工方法）
次に、上記違い棚Ａを壁Ｗに固定する施工方法について説明する。まず、壁取付具１をその取付具本体２の縦方向取付部２ａが垂直方向になり、横方向取付部２ｂが水平方向になるように配置し、取付具本体２の各取付孔５（棚板固定部６の取付孔７と重なるものは両取付孔５，７）にねじＳを挿通させて壁Ｗに螺合締結させることにより、壁取付具１を取付具本体２にて取り付ける。このとき、縦方向取付部２ａは、壁Ｗ内部における補強下地材Ｗ１に対応した位置に配置して、その補強下地材Ｗ１にねじＳにより固定する。このようにして壁Ｗに取付固定された壁取付具１は、取付具本体２の縦方向取付部２ａから上下方向の方立固定部４が、また横方向取付部２ｂから水平方向の棚板固定部６がそれぞれ前側に向かって突出するように延びている。
【００５８】
次いで、棚本体１０の方立材１１と上下の水平棚板１２，１２とをダボ２０による嵌合や固定ダボ２１へのねじＳの螺合によって仮止め状態で固定しておき、この棚本体１０を後側（壁Ｗ側）に向かって移動させて、上記のように壁Ｗに取付固定されている壁取付具１に近付け、まず、方立材１１後端面の方立固定部収容凹部１５に壁取付具１の方立固定部４を、また上下の水平棚板１２後端面の棚板固定部収容凹部１６に壁取付具１の棚板固定部６をそれぞれ収容させ、その後に方立材１１ないし水平棚板１２からなる棚本体１０全体の後端面の取付具本体収容凹部１４に壁取付具１の取付具本体２を収容させる。このことで、棚本体１０の後端面に壁取付具１の全体を収容して、その棚本体１０の後端面を壁Ｗに当接させる。尚、上記仮止めを行わずに、方立材１１と水平棚板１２，１２とを独立して壁取付具１に組み付けながら両者を固定するようにしてもよい。
【００５９】
しかる後に、ねじＳ，Ｓを下側の水平棚板１２の下面のねじ挿通孔１２ｃ，１２ｃに挿通させて方立材１１のねじ挿通孔１１ｂ，１１ｂを経て方立固定部収容凹部１５内に挿入し、その方立固定部収容凹部１５内の方立固定部４下板部のねじ螺合孔４ａ，４ａに螺合締結することにより、方立材１１を方立固定部４に固定する。また、他のねじＳ，Ｓを各水平棚板１２下面のねじ挿通孔１２ａ，１２ａに挿通させて棚板固定部収容凹部１６内に挿入し、その棚板固定部収容凹部１６内の棚板固定部６平板部のねじ螺合孔６ａ，６ａに螺合締結することにより、各水平棚板１２を棚板固定部６にそれぞれ固定する。
【００６０】
したがって、上記実施形態の違い棚Ａにおいては、壁取付具１がその取付具本体２で壁Ｗに取り付けられ、この取付状態では、取付具本体２の縦方向取付部２ａから上下方向の方立固定部４が、また各横方向取付部２ｂから水平方向の棚板固定部６がそれぞれ前側に向かって突出するように延びており、この壁取付具１に対し、棚本体１０を後側（壁Ｗ側）から壁取付具１に近付けて、その方立材１１後端面の方立固定部収容凹部１５に壁取付具１の方立固定部４を、また各水平棚板１２後端面の棚板固定部収容凹部１６に壁取付具１の各棚板固定部６をそれぞれ収容させ、その後に方立材１１ないし水平棚板１２からなる棚本体１０全体の後端面の取付具本体収容凹部１４に壁取付具１の取付具本体２を収容させればよい。この状態では、棚本体１０の後端面が壁Ｗに当接して、壁取付具１の全体が棚本体１０の後端面の各収容凹部１４〜１６に収容されて外部に露出せず、この当接状態で棚本体１０と壁取付具１とがねじＳ，Ｓ，…により固定され、棚本体１０の上下１対の水平棚板１２，１２が上下方向の方立材１１を介して接続されて段違いに上下に並んだ違い棚Ａが得られる。
【００６１】
こうして壁Ｗに取り付けられた違い棚Ａは、壁Ｗ内部の補強下地材Ｗ１に取付具本体２の上下方向の縦方向取付部２ａで補強下地材Ｗ１に達する長さのねじＳにより取付固定された壁取付具１に対し棚本体１０が固定されたものであり、この棚本体１０と壁取付具１とは、壁取付具１の方立固定部４及び棚板固定部６が棚本体１０の方立固定部収容凹部１５及び棚板固定部収容凹部１６に棚本体１０の内部まで入り込んだ状態で固定されるので、棚本体１０の方立材１１が壁取付具１の取付具本体２の縦方向取付部２ａを介して壁Ｗ内部の補強下地材Ｗ１に固定されることで、違い棚Ａに加わる荷重を主として補強下地材Ｗ１によって受けることができるようになり、違い棚Ａを強固に壁Ｗに取り付けて、その違い棚Ａの壁Ｗに対する取付強度を高くすることができる。
【００６２】
また、違い棚Ａの棚本体１０の後端面が壁Ｗに当接して、壁取付具１の全体が棚本体１０の後端面の各収容凹部１４〜１６に収容されて外部に露出しないので、見映えの良いすっきりした外観となる。
【００６３】
そのとき、上記壁取付具１の縦方向取付部２ａは壁Ｗ内部の補強下地材Ｗ１に対し、該補強下地材Ｗ１に届く長さのねじＳにより固定されているので、壁取付具１の縦方向取付部２ａの壁Ｗに対する取付強度を高めることができる。この縦方向取付部２ａは壁取付具１の左右中央に位置し、縦方向取付部２ａに棚本体１０の方立材１１が固定されるので、棚本体１０は、上下の水平棚板１２，１２の間にある中央の方立材１１が壁Ｗ内部の補強下地材Ｗ１に強固に固定され、この方立材１１を基準として水平棚板１２が左右にバランスをもって配置されるようになり、壁Ｗに固定された壁取付具１、方立材１１及び水平棚板１２，１２の全体で荷重を受けることになり、違い棚Ａを安定して壁Ｗに取付固定することができる。そのことに加え、壁取付具１は方立材１１及び水平棚板１２，１２の各収容凹部１４〜１６に収容されているので、意匠外観に優れた違い棚Ａが得られる。
【００６４】
また、壁取付具１の取付具本体２が、縦方向取付部２ａの上下中央位置Ｘを対称点として点対称に設けられ、壁取付具１の取付具本体２に形成されるねじ挿通用の取付孔５，５，…も縦方向取付部２ａの上下中央位置Ｘを対称点として点対称に配置されているので、図１７に示すように、壁取付具１の取付具本体２の表裏を反転して壁Ｗに取り付ければ、図１６に示すものと比較して、棚本体１０の水平棚板１２の高さが左右で変更可能となり、同じ部材を用いながら、向かって左側の水平棚板１２が右側の水平棚板１２よりも低い右上がり（左下がり）の違い棚Ａ（図１６に示すもの）と、逆に向かって左側の水平棚板１２が右側の水平棚板１２よりも低い右下がり（左上がり）の違い棚Ａとを施工現場で容易に切り換えて施工することができる。
【００６５】
さらに、壁取付具１の方立固定部４と棚本体１０の方立材１１とは、下側に位置する水平棚板１２の下面から挿通されて方立材１１の下部を通して方立固定部４のねじ螺合孔４ａ，４ａに螺合締結されるねじＳ，Ｓにより固定されているので、壁取付具１の方立固定部４と棚本体１０の方立材１１及び下側水平棚板１２とを容易に固定することができる。しかも、そのねじＳは、下側の水平棚板１２の下面から挿通されて方立材１１の下部を通して方立固定部４に至るので、そのねじＳ又はその挿通のためのねじ挿通孔１２ｃの開口は下側の水平棚板１２の下面のみしか露出せず、外観上の見映えを高めることができる。
【００６６】
また、壁取付具１の棚板固定部６と棚本体１０の水平棚板１２とは、水平棚板１２の下面から挿通されて棚板固定部６のねじ螺合孔６ａに螺合締結されるねじＳにより固定されているので、壁取付具１の棚板固定部６と棚本体１０の水平棚板１２と容易に固定することができる。また、そのねじＳは、水平棚板１２を下面から挿通されるので、そのねじＳ又はその挿通のためのねじ挿通孔１２ａの開口は水平棚板１２の下面のみしか露出せず、外観上の見映えを高めることができる。
【００６７】
そして、上記の違い棚Ａを猫移動棚として用い、例えば複数の違い棚Ａ，Ａ，…を高さを変えて階段状に壁Ｗに固定することにより、取付強度が高く、しかも壁取付具１が外部に露出しない外観見映えの高い猫移動棚が得られる。また、壁取付具１が外部に露出しないので、猫が棚の上に乗るときに体毛が引っかかったり邪魔になったりすることはなく、猫にとって快適な猫移動棚となる。
【００６８】
［変形例］
尚、図１８に示すように、棚本体１０の方立材１１ないし水平棚板１２の後端面に背面カバー部材２５を設け、棚本体１０の後端面が上記カバー部材２５によって壁Ｗに当接するようにしてもよい。このカバー部材２５は、方立材１１と２枚の水平棚板１２とを別々に覆ってもよく、一体的に覆ってもよい。また、このカバー部材２５を壁取付具１と別体にしてもよいが、一体的に設けることもできる。
【００６９】
こうすれば、棚本体１０の後端面がカバー部材２５によって壁Ｗに当接するので、仮に壁Ｗに不陸があっても、違い棚Ａと壁Ｗとの間に隙間が生じることはなく、さらに見映えを良くして外観性を高めることができる利点が得られる。また、壁取付具Ａによる壁Ｗへの傷付けを最小限に抑えることができる。
【００７０】
［その他の実施形態］
上記実施形態では、壁取付具１の取付具本体２と、方立固定部４と１対の棚板固定部６，６とを別体にして両者をねじ止めしているが、溶接等により一体に形成してもよい。
【００７１】
また、上記実施形態では、方立固定部４及び棚板固定部６の形状は略方形の箱状であるが、本発明では必ずしも箱状でなくてもよく、丸棒状や円柱状等の他の形状に適宜変更することができる。その場合は、棚本体１０における方立固定部収容凹部１５及び棚板固定部収容凹部１６をそれぞれ方立固定部４及び棚板固定部６に対応した形状にし、それら方立固定部４及び棚板固定部６の全部が棚本体１０内に収容可能となるように収容凹部１５，１６の形状、大きさ、数等を適宜変更すればよい。
【産業上の利用可能性】
【００７２】
本発明は、違い棚の壁に対する取付強度を増大させ、違い棚の外観上の見映えを向上させることができるので、例えば猫移動棚として極めて有用である。
【符号の説明】
【００７３】
Ａ  違い棚
Ｗ  壁
Ｗ１  補強下地材
Ｓ  取付ねじ（固定具）
１  壁取付具
２  取付具本体
２ａ  縦方向取付部
Ｘ  上下中央位置
２ｂ  横方向取付部
４  方立固定部
４ａ  ねじ螺合孔
５  取付孔
６  棚板固定部
６ａ  ねじ螺合孔
１０  棚本体
１１  方立材
１１ｂ  ねじ挿通孔
１２  水平棚板
１４  取付具本体収容凹部
１５  方立固定部収容凹部
１６  棚板固定部収容凹部
２５  背面カバー部材
【図１】
2016205053.tif 000003
【図２】
2016205053.tif 000004
【図３】
2016205053.tif 000005
【図４】
2016205053.tif 000006
【図５】
2016205053.tif 000007
【図６】
2016205053.tif 000008
【図７】
2016205053.tif 000009
【図８】
2016205053.tif 000010
【図９】
2016205053.tif 000011
【図１０】
2016205053.tif 000012
【図１１】
2016205053.tif 000013
【図１２】
2016205053.tif 000014
【図１３】
2016205053.tif 000015
【図１４】
2016205053.tif 000016
【図１５】
2016205053.tif 000017
【図１６】
2016205053.tif 000018
【図１７】
2016205053.tif 000019
【図１８】
2016205053.tif 000020